(57)【要約】【課題】下位機器では再生できないフォーマット（例えばＬＰ２モード）のデータを下位機器での再生が可能なフォーマット（例えばＳＰモード）のデータを変換して記録媒体（例えばＭＤ）に記録する記録装置を提供する。【解決手段】ＭＤ３に格納されているＬＰ２モードの圧縮データを光ピックアップ４で読み取り、エンコーダ／デコーダ／信号処理回路６でデコードする。データ圧縮／伸長回路９が、そのデコードされたＬＰ２モードの圧縮データをＳＰモードでの圧縮が行える段階まで伸長し、その伸長したデータをＳＰモードで圧縮する。そのＳＰモードで圧縮されたデータを記録ヘッド１６及び光ピックアップ４によってＭＤ３に記録する。【選択図】      図１
2004310864.tif 000002
【特許請求の範囲】
【請求項１】
記録媒体に格納されている所定のフォーマットの圧縮データを読み取り、前記圧縮データを別のフォーマットでの圧縮が行える段階まで伸長する伸長手段と、
前記伸長手段が出力するデータを前記別のフォーマットで圧縮する圧縮手段と、
前記圧縮手段によって圧縮されたデータを前記記録媒体に記録する記録手段と、
を備えることを特徴とする記録装置。
【請求項２】
前記記録媒体の空き容量と前記所定のフォーマットの圧縮データの容量を検出し、前記所定のフォーマットの圧縮データを前記別のフォーマットにした場合の容量を算出し、その算出した容量が前記記録媒体の空き容量以下であるかを判定する判定手段を備え、
前記算出した容量が前記記録媒体の空き容量以下であると前記判定手段が判定した場合のみ、前記記録手段が、前記圧縮手段によって圧縮されたデータを前記記録媒体に記録する請求項１に記載の記録装置。
【請求項３】
前記記録手段が、前記所定のフォーマットの圧縮データを消去し、前記圧縮手段によって圧縮されたデータを前記記録媒体に記録する請求項１に記載の記録装置。
【請求項４】
前記記録媒体の空き容量と前記所定のフォーマットの圧縮データの容量を検出し、前記所定のフォーマットの圧縮データを前記別のフォーマットにした場合の容量を算出し、その算出した容量が前記記録媒体の空き容量と前記所定のフォーマットの圧縮データの容量との合計以下であるかを判定する判定手段を備え、
前記算出した容量が前記記録媒体の空き容量と前記所定のフォーマットの圧縮データの容量との合計以下であると前記判定手段が判定した場合のみ、前記記録手段が、前記圧縮手段によって圧縮されたデータを前記記録媒体に記録する請求項３に記載の記録装置。
【発明の詳細な説明】
【０００１】
【発明の属する技術分野】
本発明は、記録媒体にデータを記録する記録装置に関する。
【０００２】
【従来の技術】
記録媒体にデータを記録する記録装置として、ここではミニディスク（以下、ＭＤと称する）にデータを記録することができ、且つＭＤのデータを再生することができるＭＤ記録再生装置を例に挙げて説明する。
【０００３】
ＭＤ記録再生装置には、デジタルオーディオデータ（ＰＣＭデータ）をＡＴＲＡＣ方式で約１／５に圧縮した圧縮デジタルデータをＭＤに記録したり、ＭＤから再生したりするタイプのもの（以下、ＳＰモード対応ＭＤ記録再生装置と称する）と、デジタルオーディオデータ（ＰＣＭデータ）を近年新たに開発されたＡＴＲＡＣ３方式で約１／８（ＬＰ２モード）又は約１／１６（ＬＰ４モード）に圧縮した圧縮デジタルデータをＭＤに記録したり、ＭＤから再生したりするタイプのもの（以下、ＬＰ２モード／ＬＰ４モード対応ＭＤ記録再生装置と称する）とがある。なお、ＬＰ２モード／ＬＰ４モード対応ＭＤ記録再生装置は、すでにＳＰモードで記録されたＭＤを有効活用するために、ＳＰモードにも対応できるアッパーコンパチブル（上位互換）とすることが一般的である。すなわち、ＬＰ２モード／ＬＰ４モード対応ＭＤ記録再生装置は、ＳＰモード対応機能を追加したＳＰモード／ＬＰ２モード／ＬＰ４モード対応ＭＤ記録再生装置とすることが一般的である。
【０００４】
【特許文献１】
特開２０００−３２３８８号公報
【０００５】
【発明が解決しようとする課題】
上記で説明したように、ＭＤ記録再生装置はＳＰモード対応ＭＤ記録再生装置とＳＰモード／ＬＰ２モード／ＬＰ４モード対応ＭＤ記録再生装置とに大別することができる。ＳＰモードにて記録されたＭＤは、ＳＤモード対応ＭＤ記録再生装置とＳＤモード／ＬＰ２モード／ＬＰ４モード対応ＭＤ記録再生装置のいずれにおいても再生することが可能である。しかしながら、ＬＰ２モード又はＬＰ４モードにて記録されたＭＤは、ＳＤモード対応ＭＤ記録再生装置では再生することができない。
【０００６】
したがって、ＬＰ２モードやＬＰ４モードを使用しようとすると、以下に示す三つの方法のいずれかを選択しなければならない。
【０００７】
第一の方法は、保有しているＭＤ記録再生装置をすべてＳＤモード／ＬＰ２モード／ＬＰ４モード対応ＭＤ記録再生装置に置き換えることである。しかしながら、この方法では新たにＳＤモード／ＬＰ２モード／ＬＰ４モード対応ＭＤ記録再生装置を購入する必要があり、ユーザにコスト負担を強いることになる。
【０００８】
第二の方法は、ＳＤモード／ＬＰ２モード／ＬＰ４モード対応ＭＤ記録再生装置で記録をおこなう場合でもＬＰ２モードやＬＰ４モードを使わずにＳＰモードでＭＤに記録することである。しかしながら、この方法ではＬＰ２モードやＬＰ４モードを使わないため、上位機器（ＳＤモード／ＬＰ２モード／ＬＰ４モード対応ＭＤ記録再生装置）に付加されているＬＰ２モード／ＬＰ４モード対応機能が無駄になってしまう。
【０００９】
第三の方法は、ＳＰ／ＬＰ２／ＬＰ４モード対応ＭＤ記録再生装置を再生装置として使用し、ＬＰ２モード又はＬＰ４モードで記録されたＭＤを再生してデジタル出力を行い、ＳＰモード対応ＭＤ記録再生装置又は他のＳＰモード／ＬＰ２モード／ＬＰ４モード対応ＭＤ記録再生装置を記録装置として使用し、再生装置として使用するＳＰモード／ＬＰ２モード／ＬＰ４モード対応ＭＤ記録再生装置のデジタル出力を入力して、新たなＭＤにＳＰモードとして記録する方法がある。しかしながら、この方法ではＭＤ記録再生装置が複数必要となる。
【００１０】
本発明は、上記の問題点に鑑み、下位機器（例えば、ＳＰモード対応ＭＤ記録再生装置）では再生できないフォーマットのデータを下位機器での再生が可能なフォーマットのデータを変換して記録媒体に記録する記録装置を提供することを目的とする。
【００１１】
【課題を解決するための手段】
上記目的を達成するために、本発明に係る記録装置においては、記録媒体に格納されている所定のフォーマットの圧縮データを読み取り、前記圧縮データを別のフォーマットでの圧縮が行える段階まで伸長する（例えば前記圧縮データを周波数軸データから時間軸データに変換される直前まで伸長する）伸長手段と、前記伸長手段が出力するデータを前記別のフォーマットで圧縮する圧縮手段と、前記圧縮手段によって圧縮されたデータを前記記録媒体に記録する記録手段と、を備える構成とする。
【００１２】
このような構成の記録装置によれば、記録媒体に格納されている所定のフォーマットの圧縮データが下位機器では再生できないフォーマットのデータであっても、その所定のフォーマットの圧縮データを下位機器での再生が可能な別のフォーマットのデータを変換し、その変換したデータを記録媒体に記録することができる。したがって、下位機器と上位機器のいずれにおいても再生することができる記録媒体を得ることができる。
【００１３】
また、前記記録媒体の空き容量と前記所定のフォーマットの圧縮データの容量を検出し、前記所定のフォーマットの圧縮データを前記別のフォーマットにした場合の容量を算出し、その算出した容量が前記記録媒体の空き容量以下であるかを判定する判定手段を備え、前記算出した容量が前記記録媒体の空き容量以下であると前記判定手段が判定した場合のみ、前記記録手段が、前記圧縮手段によって圧縮されたデータを前記記録媒体に記録するようにしてよい。
【００１４】
これにより、別のフォーマット変換したデータが記録媒体に格納しきれない事態を未然に防ぐことができる。
【００１５】
また、前記記録手段が、前記所定のフォーマットの圧縮データを消去し、前記圧縮手段によって圧縮されたデータを前記記録媒体に記録するようにしてよい。
【００１６】
このような構成の記録装置によれば、記録媒体に格納されている所定のフォーマットの圧縮データが下位機器では再生できないフォーマットのデータであっても、その所定のフォーマットの圧縮データを下位機器での再生が可能な別のフォーマットのデータを変換し、その変換したデータを記録媒体に記録することができる。したがって、下位機器と上位機器のいずれにおいても再生することができる記録媒体を得ることができる。また、下位機器では再生できないフォーマットのデータを消去するので、記録媒体に新たに記録することができるデータ量を増やすことができる。
【００１７】
また、前記記録手段が、前記所定のフォーマットの圧縮データを消去し、前記圧縮手段によって圧縮されたデータを前記記録媒体に記録する場合において、前記記録媒体の空き容量と前記所定のフォーマットの圧縮データの容量を検出し、前記所定のフォーマットの圧縮データを前記別のフォーマットにした場合の容量を算出し、その算出した容量が前記記録媒体の空き容量と前記所定のフォーマットの圧縮データの容量との合計以下であるかを判定する判定手段を備え、前記算出した容量が前記記録媒体の空き容量と前記所定のフォーマットの圧縮データの容量との合計以下であると前記判定手段が判定した場合のみ、前記記録手段が、前記圧縮手段によって圧縮されたデータを前記記録媒体に記録するようにしてよい。
【００１８】
これにより、別のフォーマット変換したデータが記録媒体に格納しきれない事態を未然に防ぐことができる。
【００１９】
【発明の実施の形態】
以下に本発明の一実施形態について図面を参照して説明する。本発明に係る記録装置として、ここでは、ＭＤ記録再生装置を例に挙げて説明を行う。図１は本発明に係るＭＤ記録再生装置の一構成例を示すブロック図である。
【００２０】
ＭＤ記録再生装置１に装着されるＭＤ３は、プラスチックカートリッジに収納される光ディスクであり、中心から螺旋状トラックにて、記録または再生される。
【００２１】
ＭＤ記録再生装置１は、スピンドルモータ２でＭＤ３を回転駆動させ、回転しているＭＤ３に対して光学ピックアップ４よりレーザービームを照射する。光学ピックアップ４は、対物レンズ（図示せず）によってレーザービームをＭＤ３に集光させる。送りモータ１９は、光ピックアップ４をＭＤ３のトラックに直交する方向へ移動させるためのモータである。ドライブ回路１８は、後述するサーボ回路１７から出力される制御信号に基づいて、スピンドルモータ２と、送りモータ１９と、光ピックアップ１の対物レンズを駆動する駆動装置（図示せず）とに電力を供給する。サーボ回路１７は、光ピックアップ４から出射されるレーザービームをＭＤ３の目標のトラックに追従させる等の動作が正確に行われるように、ドライブ回路１８により駆動される上記各装置をフィードバックする回路である。このサーボ回路１７は、システムコントローラ１０の指示にしたがってＲＦアンプ５の出力に基づいて制御量を決定し、その制御量を制御信号としてドライブ回路１８に送出する。システムコントローラ１０は、入力装置２０の指示にしたがって、エンコーダ／デコーダ／信号処理回路６、ショックプルーフメモリコントローラ７、サーボ回路１７、及び表示装置２１を集中管理するマイクロコンピュータである。
【００２２】
上記構成のＭＤ記録再生装置の動作について説明する。まず、再生時の動作について説明する。ＭＤ３の反射光を光ピックアップ４で検出することによって再生信号が読み取られ、ＲＦアンプ５により増幅され、エンコーダ／デコーダ／信号処理回路６に供給される。なお、前記再生信号の検出レートは、ＣＤと同じ毎秒１．４Ｍビットである。
【００２３】
エンコーダ／デコーダ／信号処理回路６は、ＥＦＭ及びＡＣＩＲＣ方式によるデコードを行って再生信号を圧縮デジタルデータに変換し、その圧縮デジタルデータに誤り訂正等の所定の処理を施す。また、エンコーダ／デコーダ／信号処理回路６は、ＥＦＭ及びＡＤＩＰのデコードを行って再生信号からアドレス信号を取り出す。該アドレス信号がシステムコントローラ１０を経由してサーボ回路１７に送出される。一方、前記圧縮デジタルデータは、ショックプルーフメモリコントローラ７を介してショックプルーフメモリ８に送出される。ショックプルーフメモリ８は、エンコーダ／デコーダ／信号処理回路６から出力される圧縮デジタルデータの転送速度と後述するデータ圧縮／伸長回路９に入力される圧縮デジタルデータの転送速度との差を吸収すること及び振動等の外乱による再生の中断を防止することを目的として設けられている。なお、ショックプルーフメモリ８は、ユーザーデータ領域の音楽情報以外にＭＤ３のＴＯＣ領域の情報およびＵＴＯＣ領域の情報も格納している。
【００２４】
ショックプルーフメモリコントローラ７は、数Ｍビット（例えば４Ｍビット）のＤＲＡＭであるショックプルーフメモリ８の書き込み動作及び読み取り動作を制御して、エンコーダ／デコーダ／信号処理回路６から供給された圧縮デジタルデータを、一時的にショックプルーフメモリ８に格納し、データ圧縮／伸長回路９からの１サウンドグループ毎の要求に応じてショックプルーフメモリ８に蓄えられたデータをデータ圧縮／伸長回路９に出力する。ショックプルーフメモリコントローラ７は１セクタ分のデータ出力を行うと、システムコントローラ１０に対して１セクタ分のデータを要求する旨を通知する。
【００２５】
このシステムコントローラ１０はショックプルーフメモリコントローラ７を通じて、ショックプルーフメモリ８に格納されるＴＯＣ領域の情報またはＵＴＯＣの情報を読み込み、次のセクタの読み出しを行うようにエンコーダ／デコーダ／信号処理回路６に命令する。エンコーダ／デコーダ／信号処理回路６は、これを受けて、次のセクタのデータをショックプルーフメモリコントローラ７に送出する。
【００２６】
データ圧縮／伸長回路９は、圧縮符号化の逆変換処理を行い、毎秒０．３Ｍビットの速度で圧縮デジタルデータをフルビットのデジタルオーディオデータ（ＰＣＭデータ）に復調する。復調されたデジタルオーディオデータ（ＰＣＭデータ）は、デジタル／アナログ変換回路１１によってアナログオーディオデータに変換され、出力端子１２から外部へ出力される。
【００２７】
続いて記録時の動作について説明する。入力端子１３にアナログオーディオデータが入力され、そのアナログオーディオデータはアナログ／デジタル変換回路１４によってサンプリングレート４４．１ｋＨｚのデジタルオーディオデータ（ＰＣＭデータ）に変換される。
【００２８】
データ圧縮／伸長回路９は、ＡＴＲＡＣ方式またはＡＴＲＡＣ３方式によるエンコードを行ってアナログ／デジタル変換回路１４から供給されたデジタルオーディオデータ（ＰＣＭデータ）を毎秒０．３Ｍビットの速度で圧縮デジタルデータに変換し、その圧縮デジタルデータをショックプルーフメモリコントローラ７及びショックプルーフメモリ８を介してエンコーダ／デコーダ／信号処理回路６に送出する。
【００２９】
エンコーダ／デコーダ／信号処理回路６は入力された圧縮デジタルデータをシリアルの磁界変調信号にエンコードして記録ヘッド駆動回路１５に与える。記録ヘッド駆動回路１５は、記録ヘッド１６をＭＤ３上の所定記録位置に移動させるとともに、前記磁界変調信号に対応した磁界を発生させる。このとき、ＭＤ３上の所定記録位置には、光ピックアップ４からレーザービームが照射されており、これによって前記磁界に対応した磁化パターンがＭＤ３上に形成される。
【００３０】
次に、記録／再生時のデータ圧縮／伸長回路９の各モード（ＳＰモード、ＬＰ２モード、ＬＰ４モード）における動作について詳細に説明する。
【００３１】
＜ＳＰモードでの記録＞
ＳＰモードでの記録がおこなわれる場合のデータ圧縮／伸長回路９の機能ブロック図を図２に示す。アナログ／デジタル変換器１４（図１参照）から出力されるデジタルオーディオデータ（ＰＣＭデータ）が音声バッファメモリ部９ａに入力される。音声バッファメモリ部９ａは所定の単位時間分データを保存後、その保存した所定の単位時間分データを次段の帯域分割フィルター部９ｂに出力する。
【００３２】
帯域分割フィルター部９ｂは所定の単位時間分データを周波数帯域により３つの帯域別のデジタル信号に分割し、次段の信号分析部９ｃに出力する。信号分析部９ｃは、入力された帯域別のデジタル信号に対して同時マスキング、最小可聴限カーブ等を用いて信号分析、マスキング処理を行いデータ量を削減し帯域別に次段の直交変換部９ｄに出力する。直交変換部９ｄは、入力された帯域別のデジタル信号を直交変換（ＭＤＣＴ：離散コサイン変換）し、符号列生成部９ｅに帯域別にスペクトル信号として出力する。符号列生成部９ｅは、入力されたスペクトル信号を帯域別にワード長データ、スケール量データ、圧縮データの３つに符号化し、所定のデータ量にまとめ符号化データとしてショックプルーフメモリコントローラ７（図１参照）に出力する。
【００３３】
＜ＬＰ２モード又はＬＰ４モードでの記録＞
ＬＰ２モード又はＬＰ４モードでの記録がおこなわれる場合のデータ圧縮／伸長回路９の機能ブロック図を図３に示す。なお、図３において図２と同一の部分には同一の符号を付す。アナログ／デジタル変換器１４（図１参照）から出力されるデジタルオーディオデータ（ＰＣＭデータ）が音声バッファメモリ部９ａに入力される。音声バッファメモリ部９ａは所定の単位時間分データを保存後、その保存した所定の単位時間分データを次段の帯域分割フィルター部９ｂ’に出力する。
【００３４】
帯域分割フィルター部９ｂ’は所定の単位時間分データを周波数帯域により４の帯域別のデジタル信号に分割し、次段の信号分析部９ｃ’に入力する。信号分析部９ｃ’は入力された帯域別のデジタル信号に対して同時マスキング、最小可聴限カーブ等を用いて信号分析、マスキング処理を行いデータ量を削減し帯域別に次段の直交変換部９ｄ’に出力する。
【００３５】
直交変換部９ｄ’は、入力された帯域別のデジタル信号を直交変換（ＭＤＣＴ：離散コサイン変換）し、スペクトル信号符号化部９ｆに帯域別にスペクトル信号として出力する。スペクトル信号符号化部９ｆは、入力されたスペクトル信号をトーン成分と非トーン成分とに分離し、各々の成分に対して符号化処理を行い符号列生成部９ｅ’に帯域別に出力する。符号列生成部９ｅ’は、入力されたデジタル信号を帯域別にワード長データ、スケール量データ、トーンデータ、圧縮データの４つに符号化し、所定のデータ量にまとめ符号化データとしてショックプルーフメモリコントローラ７（図１参照）に出力する。
【００３６】
＜ＳＰモードでの再生＞
ＳＰモードでの再生がおこなわれる場合のデータ圧縮／伸長回路９の機能ブロック図を図４に示す。ショックプルーフメモリコントローラ７（図１参照）から出力される符号化データが符号列分離部９ｇに入力される。符号列分離部９ｇは、入力された符号化データを帯域別にワード長データ、スケール量データ、圧縮データに基づいてスペクトル信号に復号し、逆直交変換部９ｈに出力する。逆直交変換部９ｈは、入力されたスペクトル信号を逆直交変換（ＩＭＤＣＴ）して帯域別のデジタル信号に変換し、帯域合成フィルター部９ｊに出力する。帯域合成フィルター部９ｊは、入力された帯域別のデジタル信号を合成しＰＣＭデータとして音声バッファメモリ部９ｋに出力する。音声バッファメモリ部９ｋは、所定の単位時間分データを保存後、その所定の単位時間分データをデジタル／アナログ変換器１１（図１参照）に出力する。
【００３７】
＜ＬＰ２モード又はＬＰ４モードでの再生＞
ＬＰ２モード又はＬＰ４モードでの再生がおこなわれる場合のデータ圧縮／伸長回路９の機能ブロック図を図５に示す。なお、図５において図４と同一の部分には同一の符号を付す。ショックプルーフメモリコントローラ７（図１参照）から出力される符号化データが符号列分離部９ｇ’に入力される。符号列分離部９ｇ’は、入力された符号化データを帯域別にワード長データ、スケール量データ、トーンデータ、圧縮データに基づいてトーン符号、非トーン符号に復号し、トーン復号部９ｌに出力する。トーン復号部９ｌは、入力されたトーン符号、非トーン符号を復号し、スペクトル信号復号部９ｍに出力する。スペクトル信号復号部９ｍは、入力されたスペクトル信号を帯域ごとに合成し逆直交変換部９ｈ’に出力する。逆直交変換部９ｈ’は、入力されたスペクトル信号を逆直交変換（ＩＭＤＣＴ）し、帯域別のデジタル信号に変換し、帯域合成フィルター部９ｊ’に出力する。帯域合成フィルター部９ｊ’は、入力された帯域別のデジタル信号を合成しＰＣＭデータとして音声バッファメモリ部９ｋに出力する。音声バッファメモリ部９ｋは、所定の単位時間分データを保存後、その所定の単位時間分データをデジタル／アナログ変換器１１（図１参照）に出力する。
【００３８】
次に本発明の特徴部分であるフォーマット変換動作について図１を参照して説明する。ＬＰ２モード又はＬＰ４モードで記録されているデータを格納しているＭＤ３の反射光を光ピックアップ４で検出することによって所定データ量の再生信号が読み取られ、ＲＦアンプ５により増幅され、エンコーダ／デコーダ／信号処理回路６に供給される。
【００３９】
エンコーダ／デコーダ／信号処理回路６は、ＥＦＭ及びＡＣＩＲＣ方式によるデコードを行って再生信号を圧縮デジタルデータに変換し、その圧縮デジタルデータに誤り訂正等の所定の処理を施す。また、エンコーダ／デコーダ／信号処理回路６は、ＥＦＭ及びＡＤＩＰのデコードを行って再生信号からアドレス信号を取り出す。該アドレス信号がシステムコントローラ１０を経由してサーボ回路１７に送出される。一方、前記圧縮デジタルデータは、ショックプルーフメモリコントローラ７を介してショックプルーフメモリ８に送出される。
【００４０】
ショックプルーフメモリコントローラ７は、ショックプルーフメモリ８の書き込み動作及び読み取り動作を制御して、エンコーダ／デコーダ／信号処理回路６から供給された圧縮デジタルデータを、一時的にショックプルーフメモリ８に格納し、データ圧縮／伸長回路９からの１サウンドグループ毎の要求に応じてショックプルーフメモリ８に蓄えられたデータをデータ圧縮／伸長回路９に出力する。ショックプルーフメモリコントローラ７は１セクタ分のデータ出力を行うと、システムコントローラ１０に対して１セクタ分のデータを要求する旨を通知する。
【００４１】
このシステムコントローラ１０はショックプルーフメモリコントローラ７を通じて、ショックプルーフメモリ８に格納されるＴＯＣ領域の情報またはＵＴＯＣの情報を読み込み、次のセクタの読み出しを行うようにエンコーダ／デコーダ／信号処理回路６に命令する。エンコーダ／デコーダ／信号処理回路６は、これを受けて、次のセクタのデータをショックプルーフメモリコントローラ７に送出する。
【００４２】
データ圧縮／伸長回路９は、ＬＰ２モード又はＬＰ４モードの圧縮デジタルデータをＳＰモードの圧縮デジタルデータに変換して、そのＳＰモードの圧縮デジタルデータをショックプルーフメモリコントローラ７及びショックプルーフメモリ８を介してエンコーダ／デコーダ／信号処理回路６に送出する。
【００４３】
エンコーダ／デコーダ／信号処理回路６は入力されたＳＰモードの圧縮デジタルデータをシリアルの磁界変調信号にエンコードして記録ヘッド駆動回路１５に与える。記録ヘッド駆動回路１５は、記録ヘッド１６をＭＤ３上の所定記録位置に移動させるとともに、前記磁界変調信号に対応した磁界を発生させる。このとき、ＭＤ３上の所定記録位置には、光ピックアップ４からレーザービームが照射されており、これによって前記磁界に対応した磁化パターンがＭＤ３上に形成される。上記動作をＭＤ３に格納されているＬＰ２モード又はＬＰ４モードのデータ全てに対して行うことで、ＭＤ３にＬＰ２モード又はＬＰ４モードのデータとＳＰモードのデータとが格納される。このように得られたＬＰ２モード又はＬＰ４モードのデータとＳＰモードのデータとが格納されたＭＤは、上位機器（ＳＰモード／ＬＰ２モード／ＬＰ４モード対応ＭＤ記録再生装置）と下位機器（ＳＰモード対応ＭＤ記録再生装置）のいずれにおいても再生することができる。
【００４４】
なお、フォーマット変換動作を行う前に、ＭＤ３のＵＴＯＣ領域の情報を読み取ることでシステムコントローラ１０がＭＤ３の空き容量とＬＰ２モード又はＬＰ４モードのデータ容量とを認識し、更にＬＰ２モード又はＬＰ４モードのデータ容量をＳＰモードのデータに変換した場合のＳＰモードのデータ容量を算出し、そのＳＰモードのデータ容量がＭＤ３の空き容量より大きい場合は表示装置２１にエラー表示をさせてフォーマット変換動作に移行しないようにすることが望ましい。
【００４５】
また、上記実施形態ではＬＰ２モード又はＬＰ４モードのデータが格納されたＭＤにフォーマット変換によって得られたＳＰモードのデータを書き込んで、ＬＰ２モード又はＬＰ４モードのデータとＳＰモードのデータとが格納されたＭＤが得られるようにしたが、ＳＰモードのデータを書き込む際に対応するＬＰ２モード又はＬＰ４モードのデータを消去して、ＳＰモードのデータのみが格納されたＭＤが得られるようにしてもよい。この場合、フォーマット変換動作を行う前に、ＭＤ３のＵＴＯＣ領域の情報を読み取ることでシステムコントローラ１０がＭＤ３の空き容量とＬＰ２モード又はＬＰ４モードのデータ容量とを認識し、更にＬＰ２モード又はＬＰ４モードのデータ容量をＳＰモードのデータに変換した場合のＳＰモードのデータ容量を算出し、そのＳＰモードのデータ容量がＬＰ２モード又はＬＰ４モードのデータ容量とＭＤ３の空き容量との合計より大きい場合は表示装置２１にエラー表示をさせてフォーマット変換動作に移行しないようにすることが望ましい。
【００４６】
続いて、フォーマット変換時のデータ圧縮／伸長回路９の動作について詳細に説明する。フォーマット変換がおこなわれる場合のデータ圧縮／伸長回路９の機能ブロック図を図６に示す。なお、図６において図２及び図５と同一の部分には同一の符号を付す。
【００４７】
ショックプルーフメモリコントローラ７（図１参照）から出力される符号化データが符号列分離部９ｇ’に入力される。符号列分離部９ｇ’は、入力された符号化データを帯域別にワード長データ、スケール量データ、トーンデータ、圧縮データに基づいてトーン符号、非トーン符号に復号し、トーン復号部９ｌに出力する。トーン復号部９ｌは、入力されたトーン符号、非トーン符号を復号し、スペクトル信号復号部９ｍに出力する。スペクトル信号復号部９ｍは、入力されたスペクトル信号を帯域ごとに合成し逆直交変換部９ｈ’に出力する。逆直交変換部９ｈ’は、入力されたスペクトル信号を逆直交変換（ＩＭＤＣＴ）し、帯域別のデジタル信号に変換し、部分帯域合成フィルター部９ｐに出力する。
【００４８】
部分帯域合成フィルター部９ｐは、入力された４つの帯域別のデジタル信号を用いてＳＰモード用の３つの帯域別のデジタル信号に変換しデータバッファメモリ９ｑに出力する。
【００４９】
信号分析部９ｃは、データバッファメモリ９ｑに入力された帯域別のデジタル信号を同時マスキング、最小可聴限カーブ等を用いて信号分析、マスキング処理を行いデータ量を削減し帯域別に次段の直交変換部９ｄに出力する。直交変換部９ｄは、入力された帯域別のデジタル信号を直交変換（ＭＤＣＴ：離散コサイン変換）し符号列生成部９ｅに帯域別にスペクトル信号として出力する。符号列生成部９ｅは、入力されたスペクトル信号を帯域別にワード長データ、スケール量データ、圧縮データの３つに符号化し、所定のデータ量にまとめ符号化データとしてショックプルーフメモリコントローラ７（図１参照）に出力する。
【００５０】
なお、本実施形態ではＭＤ記録再生装置を例に挙げて説明したが、本発明はこれに限定されることはなく、ＣＤ−ＲＷやハードディスク等の他のディスク系記録媒体又は固体メモリなどの記録媒体に圧縮フォーマット変換を施したデータを記録する記録装置であっても構わない。
【００５１】
【発明の効果】
本発明によると、下位機器では再生できないフォーマットのデータを下位機器での再生が可能なフォーマットのデータを変換して記録媒体に記録する記録装置を実現することができる。
【図面の簡単な説明】
【図１】本発明に係るＭＤ記録再生装置の一構成例を示す図である。
【図２】ＳＰモードでの記録時における図１のＭＤ記録再生装置が具備するデータ圧縮／伸長回路の機能ブロック図である。
【図３】ＬＰ２モード又はＬＰ４モードでの記録時における図１のＭＤ記録再生装置が具備するデータ圧縮／伸長回路の機能ブロック図である。
【図４】ＳＰモードでの再生時における図１のＭＤ記録再生装置が具備するデータ圧縮／伸長回路の機能ブロック図である。
【図５】ＬＰ２モード又はＬＰ４モードでの再生時における図１のＭＤ記録再生装置が具備するデータ圧縮／伸長回路の機能ブロック図である。
【図６】フォーマット変換時における図１のＭＤ記録再生装置が具備するデータ圧縮／伸長回路の機能ブロック図である。
【符号の説明】
１  ＭＤ記録再生装置
３  ミニディスク（ＭＤ）
４  光ピックアップ
５  ＲＦアンプ
６  エンコーダ／デコーダ／信号処理回路
７  ショックプルーフメモリコントローラ
８  ショックプルーフメモリ
９  データ圧縮／伸長回路
１０  システムコントローラ
【図１】
2004310864.tif 000003
【図２】
2004310864.tif 000004
【図３】
2004310864.tif 000005
【図４】
2004310864.tif 000006
【図５】
2004310864.tif 000007
【図６】
2004310864.tif 000008